【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ヘアスタイリングデバイスであって、
遠位端と、近位端と、中央部分とを備えるヘアスタイリングデバイスと、
第１のブレードセクションであって、
内側ブレード表面と、
少なくとも１つの第１のブレードセクション加熱要素遠位端を備える少なくとも１つの第１のブレードセクション加熱要素であって、前記少なくとも１つの第１のブレードセクション加熱要素は、前記内側ブレード表面の少なくとも一部分に連結されるか、統合されるかの一方である、少なくとも１つの第１のブレードセクション加熱要素と
を備える、第１のブレードセクションと、
前記第１のブレードセクションに回転可能に連結された第２のブレードセクションであって、前記第２のブレードセクションは、前記少なくとも１つの第１のブレードセクション加熱要素に実質的に対向する、少なくとも１つの第２のブレードセクション加熱要素を備え、前記少なくとも１つの第２のブレードセクション加熱要素は、
実質的に平らな表面と、
外側表面と
を備える、第２のブレードセクションと、
内側フィン表面を備えるフィンであって、前記フィンの少なくとも一部分は、前記外側表面に連結されるか、統合されるかの一方である、フィンと、
前記ヘアスタイリングデバイス遠位端において前記第１のブレードセクションおよび前記第２のブレードセクションに連結された旋回デバイスと
を備え、
前記内側ブレード表面は、
前記デバイス近位端から前記中央部分まで延びる第１の実質的に平らなセクションと、
第１の内側ブレード表面部分と、
第２の内側ブレード表面部分と、
第３の内側ブレード表面部分と
を備え、
前記内側フィン表面は、
前記デバイス近位端からほぼ前記少なくとも１つの第１のブレードセクション加熱要素遠位端まで延びる第１のフィン長さを備えるフィン長さであって、
前記第１の内側ブレード表面部分における前記フィン長さは、ゼロ長さを備え、
前記第２の内側ブレード表面部分における前記フィン長さは、変動する長さを備え、
前記第３の内側ブレード部分における前記フィン長さは、実質的に安定な長さを備える、フィン長さと、
内側フィンベースと
を備え、
前記デバイス遠位端近傍のフィン長さは、前記デバイス近位端近傍のフィン長さとは異なる、ヘアスタイリングデバイス。
【請求項２】
前記内側フィンベースは、前記少なくとも１つの第１のブレードセクション加熱要素に近接した位置を備え、
前記第１の実質的に平らなセクションは、前記内側フィン表面に実質的に垂直であり、前記外側表面上の位置から前記内側フィンベースまで延びる、請求項１に記載のヘアスタイリングデバイス。
【請求項３】
前記第１の内側ブレード表面部分は、ほぼ前記旋回デバイスからほぼ前記第２の内側ブレード表面部分まで延びる実質的に平らな表面を備え、
前記第２の内側ブレード表面部分は、実質的に平らな部分と、少なくとも１つの実質的に丸まった部分とを備え、
前記第３の内側ブレード部分は、前記内側フィンベースから外側ブレード表面まで延びる実質的に平らな部分を備える、請求項１に記載のヘアスタイリングデバイス。
【請求項４】
前記外側表面は、把持デバイスの少なくとも一部分を備える、請求項１に記載のヘアスタイリングデバイス。
【請求項５】
前記第２のブレードセクションおよび前記第１のブレードセクションは、実質的に対向する加熱要素表面を備え、
前記実質的に安定な長さは、第１の長さ方向を備え、
前記第１の長さ方向は、前記実質的に対向する加熱要素表面のうちの少なくとも１つに実質的に垂直である、請求項１に記載のヘアスタイリングデバイス。
【請求項６】
前記実質的に対向する加熱要素表面のうちの少なくとも１つは、前記実質的に対向する加熱要素表面の第１の表面であり、
前記第１の長さ方向はさらに、第２の方向において前記実質的に対向する加熱要素表面のうちの第２の表面に実質的に垂直であり、前記第２の方向は、前記第１の方向に実質的に対向している、請求項５に記載のヘアスタイリングデバイス。
【請求項７】
前記ヘアスタイリングデバイスは、ヘアを真っ直ぐにする第１の方法における使用のために適合され、
ヘアを真っ直ぐにし／カールするデバイスは、ヘアを第１の方向にカールする第２の方法における使用のために適合され、
前記ヘアを真っ直ぐにし／カールするデバイスは、ヘアを第２の方向にカールする第３の方法における使用のために適合されている、請求項１に記載のヘアスタイリングデバイス。
【請求項８】
ヘアを真っ直ぐにし／カールするデバイスであって、
ケーシングであって、前記ケーシングは、ケーシング遠位端と、ケーシング近位端と、ケーシング中央部分とを備える、ケーシングと、
内側ブレード表面を有する第１のブレードセクションと、
前記第１のブレードセクションに回転可能に連結された第２のブレードセクションであって、前記第２のブレードセクションは、外側表面を備える、第２のブレードセクションと、
少なくとも一対の実質的に対向する加熱要素であって、
前記少なくとも一対の実質的に対向する加熱要素の少なくとも一部分は、前記内側ブレード表面の少なくとも一部分に連結されるか、統合されるかの少なくとも一方であり、
前記実質的に対向する加熱要素のうちの１つは、少なくとも１つの第２のブレードセクション加熱要素に実質的に対向する少なくとも１つの第１のブレードセクション加熱要素を備え、
前記少なくとも１つの第１のブレードセクション加熱要素は、第１のブレードセクション加熱要素遠位端を備え、
前記少なくとも１つの第２のブレードセクション加熱要素は、実質的に平らな表面を備える、少なくとも一対の実質的に対向する加熱要素と、
前記ケーシングと、前記外側表面とに連結されるか、統合されるかの少なくとも一方である、少なくとも１つのフィンと
を備え、
前記内側ブレード表面は、
前記デバイス近位端から前記中央部分まで延びる第１の実質的に平らなセクションと、
第１の内側ブレード表面部分と、
第２の内側ブレード表面部分と、
第３の内側ブレード表面部分と
を備え、
前記少なくとも１つのフィンは、
ベースと、表面とを備える内側フィンと
前記ケーシング近位端からほぼ前記第１のブレードセクション加熱要素遠位端まで延びる第１のフィン長さを備えるフィン長さと
を備え、
前記フィン長さは、
前記第１の内側ブレード表面部分においてゼロ長さを備え、
前記第２の内側ブレード表面部分において変動する長さを備え、
前記第３の内側ブレード部分において実質的に安定な長さを備え、
前記デバイス遠位端近傍において、前記デバイス近位端近傍のフィン長さとは異なる、ヘアを真っ直ぐにし／カールするデバイス。
【請求項９】
前記ケーシングは、把持デバイスを備える、請求項８に記載のヘアを真っ直ぐにし／カールするデバイス。
【請求項１０】
前記少なくとも一対の実質的に対向する加熱要素は、実質的に対向する加熱要素表面を備え、
前記実質的に安定な長さは、第１の長さ方向を備え、
前記第１の長さ方向は、前記実質的に対向する加熱要素表面のうちの少なくとも１つに実質的に垂直である、請求項８に記載のヘアを真っ直ぐにし／カールするデバイス。
【請求項１１】
前記実質的に対向する加熱要素表面のうちの少なくとも１つは、前記実質的に対向する加熱要素表面の第１の表面であり、
前記第１の長さ方向はさらに、前記実質的に対向する加熱要素表面のうちの第２の表面に実質的に垂直である、請求項１０に記載のヘアを真っ直ぐにし／カールするデバイス。
【請求項１２】
前記ヘアを真っ直ぐにし／カールするデバイスは、ヘアを真っ直ぐにする第１の方法における使用のために適合され、
前記ヘアを真っ直ぐにし／カールするデバイスは、ヘアを第１の方向にカールする第２の方法における使用のために適合され、
前記ヘアを真っ直ぐにし／カールするデバイスは、ヘアを第２の方向にカールする第３の方法における使用のために適合されている、請求項８に記載のヘアを真っ直ぐにし／カールするデバイス。
【請求項１３】
前記第１の内側ブレード表面部分は、ほぼ前記第２のブレードセクションが前記第１のブレードセクションに回転可能に連結されている場所から、ほぼ前記第２の内側ブレード表面部分まで延びる実質的に平らな表面を備え、
前記第２の内側ブレード表面部分は、実質的に平らな部分と、少なくとも１つの実質的に丸まった部分とを備え、
前記第３の内側ブレード部分は、前記内側フィンベースから前記外側表面まで延びる実質的に平らな部分を備える、請求項８に記載のヘアを真っ直ぐにし／カールするデバイス。
【請求項１４】
ヘアをスタイリリングする方法であって、
ヘアスタイリングデバイスの第１の開口部を概ね垂直位置に位置決めすることであって、前記ヘアスタイリングデバイスは、第１の加熱要素および第２の加熱要素を備える、ことと、
前記ヘアスタイリングデバイスの第２の開口部を概ね水平位置に位置決めすることであって、前記第２の開口部は、前記第１の開口部からある角度だけ分離されている、ことと、
前記ヘアを前記ヘアスタイリングデバイス中に置くことと、
前記ヘアスタイリングデバイスを前記ヘアに沿って動かすことと、
前記ヘアが前記第２の開口部を通って進む前および後の一方で、前記ヘアを前記第１の加熱要素および前記第２の加熱要素と接触させることと、
前記ヘアを真っ直ぐにすることか、カールすることかの一方と
を含む、方法。
【請求項１５】
前記ヘアを前記ヘアスタイリングデバイス中に置く前に、前記第１の加熱要素および前記第２の加熱要素を旋回可能に分離することをさらに含む、請求項１４に記載の方法。
【請求項１６】
前記第１の加熱要素および前記第２の加熱要素を旋回可能に分離することは、前記第１の加熱要素を前記第２の加熱要素から双方向に分離することを含む、請求項１５に記載の方法。
【請求項１７】
前記ヘアが前記第２の開口部を通って進む前および後の一方で、前記ヘアを前記第１の加熱要素および前記第２の加熱要素と接触させることは、前記ヘアが前記第２の開口部を通って進む前に前記ヘアを前記第１の加熱要素および前記第２の加熱要素と接触させることを含み、
前記ヘアを真っ直ぐにすることか、カールすることかの一方は、前記ヘアを真っ直ぐにすることを含む、請求項１４に記載の方法。
【請求項１８】
前記ヘアは、個人の頭部から成長するヘアを備え、
第１の加熱要素および第２の加熱要素を備えるヘアスタイリングデバイスの第１の開口部を概ね垂直位置に位置決めすることは、ヘアスタイリングデバイスの前記第１の開口部を、概ね上方に向く垂直位置に位置決めすることを含み、
ヘアスタイリングデバイスの第２の開口部を概ね水平位置に位置決めすることは、ヘアスタイリングデバイスの前記第２の開口部を概ね前記個人の頭部に向かって位置決めすることを含み、
前記ヘアが前記第２の開口部を通って進む前および後の一方で、前記ヘアを前記第１の加熱要素および前記第２の加熱要素と接触させることは、前記ヘアが前記第２の開口部を通って進んだ後に、前記ヘアを前記第１の加熱要素および前記第２の加熱要素と接触させることを含み、
前記ヘアを真っ直ぐにすることか、カールすることかの一方は、前記ヘア中にカールを生成することを含み、前記カールは、前記第２の開口部の方向に概ね開く、請求項１４に記載の方法。
【請求項１９】
前記カールは、前記ヘア中に複数のカールを備え、
前記カールの各々は、前記第２の開口部の方向に向かって概ね開く、請求項１８に記載の方法。
【請求項２０】
前記角度は、概ね垂直である角度を備え、
前記第２の開口部は、デバイスフィンへの開口部を備え、
前記デバイスフィンは、１つ以上のフィン寸法を備え、
前記１つ以上のフィン寸法のうちの少なくとも１つおよび前記角度は、１つ以上のカール特徴に影響する、請求項１４に記載の方法。
【請求項２１】
前記ヘアは、個人の頭部から成長するヘアを備え、
第１の加熱要素および第２の加熱要素を備えるヘアスタイリングデバイスの第１の開口部を概ね垂直位置に位置決めすることは、ヘアスタイリングデバイスの前記第１の開口部を、概ね下方に向く垂直位置に位置決めすることを含み、
ヘアスタイリングデバイスの第２の開口部を概ね水平位置に位置決めすることは、ヘアスタイリングデバイスの前記第２の開口部を概ね前記個人の頭部から離れて位置決めすることを含み、
前記ヘアが前記第２の開口部を通って進む前および後の一方で、前記ヘアを前記第１の加熱要素および前記第２の加熱要素と接触させることは、前記ヘアが前記第２の開口部を通って進んだ後に、前記ヘアを前記第１の加熱要素および前記第２の加熱要素と接触させることを含み、
前記ヘアを真っ直ぐにすることか、カールすることかの一方は、前記ヘア中にカールを生成することを含み、前記カールは、前記個人の頭部から離れて開く、請求項１４に記載の方法。
【手続補正２】
【補正対象書類名】明細書
【補正対象項目名】０００７
【補正方法】変更
【補正の内容】
【０００７】
本発明のなお別の実施形態は、ヘアを真っ直ぐにする／カールするデバイスを含む。１つのこのようなデバイスは、ケーシング、このケーシングに連結される少なくとも一対の実質的に対向する加熱要素、および上記ケーシングに連結されるか、統合されるかの一方である少なくとも１つのフィンを備える。
本願明細書は、例えば、以下の項目も提供する。
（項目１）
ヘアスタイリングデバイスであって：
第１のブレードセクションであって、
内側ブレード表面、および
該内側ブレードの少なくとも一部分に連結されるか、統合されるかの一方である少なくとも１つの第１のブレードセクション加熱要素を備える、第１のブレードセクション；
該第１のブレードセクションに回転可能に連結される第２のブレードセクションであって、該第２のブレードセクションは、
該少なくとも１つの第１のブレードセクション加熱要素に実質的に対向する、少なくとも１つの第２のブレードセクション加熱要素であって、該少なくとも１つの第２のブレードセクション加熱要素は、実質的に平らな表面および外側表面を備える、第２のブレードセクション加熱要素を備える、第２のブレードセクション；ならびに
フィンであって、該フィンの少なくとも一部分が、該外側表面に連結されるか、統合されるかの一方である、フィン、を備える、ヘアスタイリングデバイス。
（項目２）
項目１に記載のヘアスタイリングデバイスであって、さらに、
ヘアスタイリングデバイス遠位端；
ヘアスタイリングデバイス中央部分；
前記第１のブレードセクションおよび前記第２のブレードセクションに該ヘアスタイリングデバイス遠位端で連結される、旋回デバイス；を備え、ここで、
前記内側ブレード表面が、該デバイスの近位端から該中央部分まで延びる第１の実質的に平らなセクションを備える、ヘアスタイリングデバイス。
（項目３）
項目２に記載のヘアスタイリングデバイスであって、
該ヘアスタイリングデバイスがデバイス近位端を備え；
前記フィンが内側フィン表面を備え；
該内側フィン表面が、
フィン長さ、および
内側フィンベース；を備え、そして
前記デバイス遠位端近傍のフィン長さが、該デバイス近位端近傍のフィン長さとは異なる、ヘアスタイリングデバイス。
（項目４）
項目２に記載のヘアスタイリングデバイスであって、
内側フィンベースが、前記少なくとも１つの第１のブレードセクション加熱要素に近接した位置を備え；そして
前記第１の実質的に平らなセクションが、内側フィン表面に実質的に垂直であり、そして前記外側表面上の位置から該内側フィンベースまで延びる、ヘアスタイリングデバイス。
（項目５）
項目３に記載のヘアスタイリングデバイスであって、
前記少なくとも１つの第１のブレードセクション加熱要素が、少なくとも１つの第１のブレードセクション加熱要素遠位端を備え；そして
前記フィン長さが、前記デバイス近位端からほぼ該少なくとも１つの第１のブレードセクション加熱要素遠位端まで延びる第１のフィン長さを備える、ヘアスタイリングデバイス。
（項目６）
項目５に記載のヘアスタイリングデバイスであって、
前記内側ブレード表面がさらに、
第１の内側ブレード表面部分、
第２の内側ブレード表面部分、
第３の内側ブレード表面部分；を備え、
該第１の内側ブレード表面部分でのフィン長さがゼロ長さを備え；
該第２の内側ブレード表面部分でのフィン長さが変動する長さを備え；そして
該第３の内側ブレード表面部分でのフィン長さが実質的に安定な長さを備える、ヘアスタイリングデバイス。
（項目７）
項目６に記載のヘアスタイリングデバイスであって、
前記第１の内側ブレード表面部分が、ほぼ前記旋回デバイスからほぼ前記第２の内側ブレード表面部分まで延びる実質的に平らな表面を備え；
前記第２の内側ブレード表面部分が、実質的に平らな部分および少なくとも１つの実質的に丸まった部分を備え；そして
第３の内側ブレード表面部分が、前記内側フィンベースから外側ブレード表面まで延びる実質的に平らな部分を備える、ヘアスタイリングデバイス。
（項目８）
ヘアをスタイリリングする方法であって、
ヘアスタイリングデバイスの第１の開口部をほぼ垂直位置に位置決めする工程であって、該ヘアスタイリングデバイスが、第１の加熱要素および第２の加熱要素を備える、工程；
該ヘアスタイリングデバイスの第２の開口部をほぼ水平位置に位置決めする工程であって、該第２の開口部が該第１の開口部から所定角度分離されている、工程；
該ヘアを該ヘアスタイリングデバイス中に置く工程；
該ヘアスタイリングデバイスを該ヘアに沿って動かす工程；
該ヘアが該第２の開口部を通って進む前および後の一方で、該ヘアを該第１の加熱要素および該第２の加熱要素と接触させる工程；および
該ヘアを真っ直ぐにする工程およびカールする工程の一方の工程、を包含する、方法。
（項目９）
項目８に記載の方法であって、さらに、前記ヘアを前記ヘアスタイリングデバイス中に置く工程の前に、前記第１の加熱要素および前記第２の加熱要素を旋回可能に分離する工程を包含する、方法。
（項目１０）
項目９に記載の方法であって、前記第１の加熱要素および前記第２の加熱要素を旋回可能に分離する工程が、該第１の加熱要素を該第２の加熱要素から双方向に分離することを含む、方法。
（項目１１）
項目８に記載の方法であって、
前記ヘアが前記第２の開口部を通って進む前および後の一方で、該ヘアを前記１の加熱要素および前記第２の加熱要素と接触させる工程が、該ヘアが該第２の開口部を通って進む前に該ヘアを該第１の加熱要素および該第２の加熱要素と接触させることを含み、そして前記ヘアを真っ直ぐにする工程およびカールする工程の一方の工程が、該ヘアを真っ直ぐにすることを含む、方法。
（項目１２）
項目８に記載の方法であって、
前記ヘアが、個人の頭部からのヘア成長を含み；
第１の加熱要素および第２の加熱要素を備えるヘアスタイリングデバイスの第１の開口部をほぼ垂直位置に位置決めする工程が、ヘアスタイリングデバイスの該第１の開口部を、ほぼ上方に向く垂直位置に位置決めすることを含み；
ヘアスタイリングデバイスの第２の開口部をほぼ水平位置に位置決めする工程が、ヘアスタイリングデバイスの該第２の開口部をほぼ個人の頭部に向かって位置決めすることを含み；
前記ヘアが該第２の開口部を通って進む前および後の一方で、該ヘアを該第１の加熱要素および該第２の加熱要素と接触させる工程が、該ヘアが該第２の開口部を通って進んだ後に、該ヘアを該第１の加熱要素および該第２の加熱要素と接触させることを含み；そして前記ヘアを真っ直ぐにする工程およびカールする工程の一方の工程が、該ヘア中にカールを生成することを含み、ここで、該カールが、該第２の開口部の方向にほぼ開く、方法。
（項目１３）
項目１２に記載の方法であって、
前記カールが前記ヘア中の複数のカールを含み；そして
該カールの各々が、前記第２の開口部の方向に向かってほぼ開く、方法。
（項目１４）
項目８に記載の方法であって、
前記角度がほぼ垂直である角度を含み；
前記第２の開口部が、デバイスフィンへの開口部を備え；
該デバイスフィンが１つ以上のフィン寸法を備え；そして
該１つ以上のフィン寸法の少なくとも１つおよび該角度が１つ以上のカール特徴に影響する、方法。
（項目１５）
項目８に記載の方法であって、
前記ヘアが、個人の頭部からのヘア成長を含み；
第１の加熱要素および第２の加熱要素を備えるヘアスタイリングデバイスの第１の開口部をほぼ垂直位置に位置決めする工程が、ヘアスタイリングデバイスの該第１の開口部を、ほぼ下方に向く垂直位置に位置決めすることを含み；
ヘアスタイリングデバイスの第２の開口部をほぼ水平位置に位置決めする工程が、ヘアスタイリングデバイスの該第２の開口部をほぼ個人の頭部から離れて位置決めすることを含み；
前記ヘアが該第２の開口部を通って進む前および後の一方で、該ヘアを該第１の加熱要素および該第２の加熱要素と接触させる工程が、該ヘアが該第２の開口部を通って進んだ後に、該ヘアを該第１の加熱要素および該第２の加熱要素と接触させることを含み；そして前記ヘアを真っ直ぐにする工程およびカールする工程の一方の工程が、該ヘア中にカールを生成することを含み、ここで、該カールが、該個人の頭部から離れて開く、方法。
（項目１６）
ヘアを真っ直ぐにし／カールするデバイスであって、
ケーシング；
該ケーシングに連結される少なくとも一対の実質的に対向する加熱要素；および
該ケーシングに連結されるか、統合されるかの少なくとも一方である、少なくとも１つのフィンを備える、ヘアを真っ直ぐにし／カールするデバイス。
（項目１７）
前記ケーシングが、把持デバイスを備える、項目１６に記載のヘアを真っ直ぐにし／カールするデバイス。
（項目１８）
項目１６に記載のヘアを真っ直ぐにし／カールするデバイスであって、
前記少なくとも一対の実質的に対向する加熱要素が、実質的に対向する加熱要素表面を備え；
前記少なくとも１つのフィンが、第１の長さ方向を有する第１の長さを備え；そして
該第１の長さ方向が、該実質的に対向する加熱要素表面の少なくとも１つに実質的に垂直である、ヘアを真っ直ぐにし／カールするデバイス。
（項目１９）
項目１８に記載のヘアを真っ直ぐにし／カールするデバイスであって、
前記第１の長さ方向が、第１の方向にある前記実質的に対向する加熱要素表面の第１と実質的に垂直であり；そして
該第１の長さ方向が、第２の方向にある該実質的に対向する加熱要素表面の第２と実質的に垂直であり、ここで、該第２の方向が該第１の方向と実質的に対向する、ヘアを真っ直ぐにし／カールするデバイス。
（項目２０）
項目１６に記載のヘアを真っ直ぐにし／カールするデバイスであって、
該ヘアを真っ直ぐにし／カールするデバイスが、ヘアを真っ直ぐにする第１の方法における使用のために適合され；
該ヘアを真っ直ぐにし／カールするデバイスが、ヘアを第１の方向にカールする第２の方法における使用のために適合され；そして
該ヘアを真っ直ぐにし／カールするデバイスが、ヘアを第２の方向にカールする第３の方法における使用のために適合されている、ヘアを真っ直ぐにし／カールするデバイス。